(57)【特許請求の範囲】
【請求項１】
間隔をおいて対向配置され、対向する第１及び第２の長手縁をそれぞれが有する第１及び第２の金属パネルと、
これら第１及び第２の金属パネルの一方の端部側において、それぞれの内側に突出するようにバーリング加工によって形成された軸部と、
第１及び第２の金属パネルの一方の端部間に跨って配置され、前記軸部の外周面に回転自在に支持され、第１及び第２の金属パネルの前記一端部間の少なくとも一部を閉じた閉状態と、前記少なくとも一部を開放した開状態とを、とる蓋パネルとを、
具備する機器筐体。
【請求項２】
請求項１記載の機器筐体において、蓋パネルは、開口が形成された板状体を、第１及び第２の金属パネルの一方の端部それぞれに面接触した状態で有し、前記各開口に前記各軸部がそれぞれ挿通されて、蓋パネルを回転自在に支持している機器筐体。
【請求項３】
請求項１または２記載の機器筐体において、蓋パネルは、前記閉状態において、第１及び第２の金属パネルの第１の長手縁の他方の端部側から前記一方の端部側に向かう直線状部と、この直線状部の先端から第２の長手縁方向の前記一方の端部側を向いて傾斜した傾斜部とを、有する機器筐体。
【請求項４】
請求項３記載の機器筐体において、第２の長手縁が第１の長手縁の直線状部と非平行な直線状部であり、第２の長手縁がほぼ水平となるように第１及び第２の金属パネルを配置し、かつ前記蓋パネルを前記開状態としたとき、前記傾斜部がほぼ水平となった状態で前記蓋パネルの回転を阻止するストッパが前記傾斜部に設けられている機器筐体。
【請求項５】
請求項１記載の機器筐体において、前記各軸部の内周面にめねじが刻設され、第１及び第２の金属パネルの外面に配置されたラックパネルが、前記めねじに螺合したおねじによって第１及び第２の金属パネルに固定されている機器筐体。
【請求項６】
請求項１記載の機器筐体において、第１及び第２の金属パネルの外面に、第１及び第２の金属パネルよりも剛性の大きい撓み防止体が設けられている機器筐体。
【発明の詳細な説明】
【技術分野】
【０００１】
本発明は、例えば電気機器や電子機器のような機器の筐体に関し、特に、パネルの開閉機構に関する。
【背景技術】
【０００２】
電気機器や電子機器では、例えば保守点検のために、筐体の蓋を開閉することがある。蓋の開閉機構としては、例えば特許文献１に開示されているように、箱状本体部と蓋との間に蝶番を設けることが行われている。
【０００３】
【特許文献１】特開２００２−３６８４４３号公報
【発明の開示】
【発明が解決しようとする課題】
【０００４】
しかし、特許文献１に記載されている技術では、蝶番を使用しなければならず、部品点数が増加し、コストの上昇を招く。
【０００５】
本発明は、新たな部品を使用することなく、蓋を開閉することができる機器筐体を提供することを目的とする。
【課題を解決するための手段】
【０００６】
本発明の一態様の機器筐体は、第１及び第２の金属パネルを有している。第１及び第２の金属パネルは、間隔をおいて対向配置され、対向する第１及び第２の長手縁をそれぞれが有している。これら第１及び第２の金属パネルの一方の端部側において、それぞれの内側に突出するようにバーリング加工によって軸部が形成されている。第１及び第２の金属パネルの一方の端部間に跨って蓋パネルが配置されている。前記軸部の外周面に回転自在に支持され、第１及び第２の金属パネルの前記一端部間の少なくとも一部を閉じた閉状態と、前記少なくとも一部を開放した開状態とを、とる。
【０００７】
このように構成された機器筐体では、蓋パネルは軸部によって回転自在に支持されているので、開状態及び閉状態のいずれの状態も取ることができる。軸部は、第１及び第２の金属パネルをバーリング加工することによって構成されているので、軸部用に部品を用意する必要が無く、コストの低減を図ることができる。また、第１及び第２の金属パネルは撓むので、この撓みを利用して蓋パネルを軸部に支持することができ、取付作業も容易に行える。
【０００８】
蓋パネルは、開口が形成された板状体を、第１及び第２の金属パネルの一方の端部それぞれに面接触した状態で有するものとにできる。この場合、各開口に各軸部がそれぞれ挿通されて、蓋パネルを回転自在に支持する。
【０００９】
このように蓋パネルに、第１及び第２の金属パネルの一方の端部に面接触する板状体に形成した開口を軸部に挿通するように構成してあるので、蓋パネルの取付が容易になる。
【００１０】
また、蓋パネルは、前記閉状態において、第１及び第２の金属パネルの第１の長手縁の他方の端部側から前記一方の端部側に向かう直線状部と、この直線状部の先端から第２の長手縁方向の前記一方の端部側を向いて傾斜した傾斜部とを、有するものにできる。
【００１１】
このように構成した場合、例えば、この機器筐体内の例えば電気回路に接続するための接続具が傾斜部に設けられている場合、閉状態においてこれら接続具への接続が容易に行える。
【００１２】
更に、第２の長手縁が第１の長手縁の直線状部と非平行な直線状部であり、第２の長手縁がほぼ水平となるように第１及び第２の金属パネルを配置し、かつ前記蓋パネルを前記開状態としたとき、前記傾斜部がほぼ水平となって状態で前記傾斜部の回転を阻止するストッパを前記傾斜部に設けることもできる。
【００１３】
このように構成すると、直線状部が第１及び第２の金属製パネルの一方の端部よりも外側に位置した状態を維持し、直線状部の内面に部品等が配置されている場合、その保守点検が容易に行える。また、ストッパがこれら部品の重量を受けるので、軸部に大きな力がかかることがなく、軸部が損傷しにくくなる。
【００１４】
或いは、各軸部の内周面にめねじを刻設し、第１及び第２の金属パネルの外面に配置されたラックパネルを、前記めねじに螺合したおねじによって第１及び第２の金属パネルに固定することもできる。
【００１５】
このように構成すると、ラックパネルの第１及び第２の金属パネルへの固定と、蓋パネルの第１及び第２の金属パネルへの固定とに、共通に軸部を使用することができ、第１及び第２の金属パネルへのラックパネルの固定用に、別途バーリング加工して、突部を構成
する必要がなくなり、製造が容易になる。
【００１６】
第１及び第２の金属パネルの外面に、第１及び第２の金属パネルよりも剛性の大きい撓み防止体を設けることができる。撓み防止体としては、第１及び第２の金属パネルに取り付けられる他のもの、例えばラックに取り付けるためのラックパネルや、テーブル上に配置する際に使用するアームレストと兼用するものを使用することができる。
【００１７】
このように撓み防止体を設けることによって第１及び第２の金属パネルがわずかな力を加えることによって撓むことが防止でき、軸部から蓋パネルが容易に外れることを防止できる。
【発明の効果】
【００１８】
以上のように、本発明によれば、部品点数の増加を招くことなく、蓋パネルを開閉自在に取り付けることができる。
【発明を実施するための最良の形態】
【００１９】
本発明の一実施形態の機器筐体は、例えば電子機器、具体的には音響調整器、より具体的にはオーディオミキサの筐体２であって、図２に示すようにラック４に取り付けられて使用されたり、図３に示すようにテーブル６上に配置されたりして使用される。なお、図３では、オーディオミキサのフェーダ等の操作部は省略してある。テーブル６上に配置される場合、筐体２の両側にはアームレストが取り付けられることがある。
【００２０】
この筐体２は、全て金属製で、図２に示すように操作部が設けられている矩形の正面パネル８を有している。この正面パネル８の長手縁の両端に、正面パネル８と直交するように第１及び第２の金属パネル、例えば側壁パネル１０、１２が設けられている。側壁パネル１０、１２は、同一形状で、比較的剛性の小さいものである。正面パネル８の側壁パネル１０、１２が取り付けられている側の面には、図示していないが、オーディオミキサの回路が構成されたプリント基板等が配置されている。
【００２１】
側壁パネル１０は、図４に示すように、第１の長手縁、例えば正面パネル８の長手縁の端に一致した直線縁１４を有している。この縁部１４の一方の端部から正面パネル及び側壁パネル１０、１２に直交するように底壁パネル１６が設けられている。その先端は正面パネル８と平行に正面パネル８側に折り曲げられて、板状部１８が形成されている。また、正面パネル８の他方に端部には、正面パネル８と側壁パネル１０、１２とに直交するように上壁パネル２０が設けられている。この上壁パネル２０の先端は、底壁パネル１６の先端よりも正面パネル８よりも離れた位置にある。
【００２２】
側壁パネル１０は、第２の長手縁の一部として、正面パネル２０の先端から緩やかに正面パネル８から離れる方向に傾斜した斜辺２２を有し、この斜辺２２の先端から正面パネル８の底壁パネル１８側に向かって鋭く傾斜した斜辺２４を有し、この斜辺２４の先端から底壁パネル１８の先端まで正面パネル８に平行に伸びた直線辺２６を有している。第２の長手縁は、これら斜辺２２、２４及び直線辺２６によって構成されている。なお、側壁パネル１２における斜辺２２、２４及び直線辺２６に対応する部分は、斜辺２２、２４及び直線２６と称する。
【００２３】
この側壁パネル１０、１２における斜辺２２、２４及び直線辺２６の部分を図５に示すように閉じた閉状態または図１、図４に示すように開いた開状態とするために、側壁パネル１０、１２間に、蓋パネル、例えば背面パネル２８が設けられている。背面パネル２８は、側壁パネル１０、１２の斜辺２２間を閉じる緩傾斜面部３０と、側壁パネル１０、１２の斜辺２４間を閉じる急傾斜面部３２と、側壁パネル１０、１２の直線辺２６間を閉じる平面部３４とからなる。
【００２４】
平面部３４における側壁パネル１０、１２側の端部には、平面部３４と直交するように板状部３６がそれぞれ形成されている。これら板状部３６には、側壁パネル１０、１２の厚さ方向に貫通する開口３８が形成されている。背面パネル２８が側壁パネル１０、１２における斜辺２２、２４及び直線辺２６の部分を図５に示すように閉じた閉状態または図１、図４に示すように開いた開状態のいずれにおいても、開口３８に挿通された軸部４０が、側壁パネル１０、１２の内面に形成されている。これら軸部４０は、図６に示すようにバーリング加工によって形成されたものである。軸部４０は、バーリング加工によって形成されているので、軸部４０用に別途部品を用意する必要はない。軸部４０の回りに背面パネル２８は回転自在であるので、上述した閉状態と開状態とのいずれの状態をも、この筐体２は取ることができる。回転自在にするためには、各開口３８に各軸部４０をそれぞれ挿通する必要があるが、側壁パネル１０、１２は、比較的剛性の小さい金属製であるので、容易に撓み、挿通は容易に行える。また、背面パネル３８に直交するように背面パネル３８の両端に設けた板状部３６に開口３８が形成されているので、板状部３８を側壁パネル１０、１２に面接触させて開口３８に軸部４０を挿通すればよく、背面パネル２８の取付は容易である。
【００２５】
図４に示す開状態において、背面パネル２８の急傾斜面部３２には、板状部１８に接触して背面パネル２８のそれ以上の回転を阻止する回転阻止手段、例えばストッパ４２が設けられている。このストッパ４２は、図５に示すように急斜面部３２に形成した電源用の差し込み口４４の周囲に設けた保護部材である。図示していないが、背面パネル２８の緩斜面部３０の内面には、オーディオミキサの回路の一部を構成したプリント基板や部品が取り付けられている。その結果、開状態において、これ以上背面パネル２８が回転すると、背面パネル２８の重心位置の関係上、筐体２が転倒するおそれがある位置で背面パネル２８の回転を阻止するようにストッパ４２が形成されている。また、急斜面部３２と板状部１８とが直接に接触して、急斜面部３２または板状部１８に傷が生じることも、ストッパ４２は阻止している。
【００２６】
図５に示すように緩斜面部３２には、電源差し込み口の他にも、種々の接続具４６、４８、５０、５２が設けられている。例えば図３に示すようにテーブル６上に筐体２が背面パネル２８がテーブル６上に接した状態に配置され、上面パネル２０側にオーディオミキサのミキサマンが位置している場合、このミキサマンが、各接続具４６、４８、５０、５２への接続を容易にするために緩斜面部３２に各接続具４６、４８、５０、５２が設けられている。
【００２７】
この筐体２を図２に示すようにラック４に取り付ける場合には、図１、図４、図５に示すように、側壁パネル１０、１２の外面側にラックパネル５４、５６が、図５に示すようにおねじ５８、５８、５８・・・によって取り付けられている。これらラックパネル５４、５６がラック４に固定される。この場合、側壁パネル１０、１２には、おねじ５８、５８、５８・・・が螺合するめねじをバーリング加工によって形成した別個のスリーブ状部の内周面に形成しためねじ部を設ける。
【００２８】
なお、ラックパネルを固定する際に、図７に示すように、軸部４０の内周面にめねじを形成し、ラックパネル５４、５６に貫通孔を形成し、これに挿通したおねじ６０をめねじに螺合させて、ラックパネル５４、５６を側壁パネル１０、１２に取り付けることもできる。この場合、上述したような別個にめねじ部を設ける必要が無く、軸部４０をラックパネル５４、５６の取付に兼用できる。
【００２９】
ラックパネル５４、５６は、側壁パネル１０、１２よりも大きな剛性を持つもので、人の力では容易に撓まない。上述したように側壁パネル１０、１２は、わずかな力を加えるだけで撓むので、軸部４０への背面パネル２８の板状部３６の開口３８を容易に取り付けることができる。但し、このままでは、わずかの力が誤って側壁パネル１０、１２に加わっても、軸部４０が開口３８から抜ける可能性がある。そこで、剛性の大きいラックパネル５４、５６が側壁パネル１０、１２の外面に取り付けられている。ラックパネル５４、５６の取り付け後には、側壁パネル１０、１２はかなり大きな力を加えても撓みにくくなり、軸部４０が板状部３６の開口３８から抜けることを確実に防止できる。なお、テーブル６上に筐体２を配置する場合には、側壁パネル１０、１２の外側に取り付けるアームレストを、側壁パネル１０、１２よりもかなり大きい剛性を持つものとすることによって、上述したのと同様に、軸部４０が板状部３６の開口３８から抜けることを確実に防止できる。
【００３０】
上記の実施形態では、側壁パネル１０、１２に斜辺２２を形成したが、これに代えて正面パネル８に平行な直線辺とすることもできる。この場合、背面パネル２８の緩斜面部３０も正面パネル８に平行な平板状部とする。上記の実施形態では、底壁パネル１６を設けたが、これを除去して、背面パネル２８の平面部３４の先端に正面パネル８と平行な平面部を形成することもできる。
【図面の簡単な説明】
【００３１】
【図１】本発明の１実施形態の筐体の背面パネルを開いた状態の斜視図である。
【図２】図１の筐体をラックに取り付けた状態の斜視図である。
【図３】図１の筐体をテーブルに配置した状態の側面図である。
【図４】図１の筐体の背面パネルを開いた状態の縦断側面図である。
【図５】図１の筐体の背面パネルを閉じた状態の斜視図である。
【図６】図１の筐体の背面パネルの側壁１０への取付状態を示す部分省略縦断面図である。
【図７】図１の筐体の背面パネルの側壁１０への別の取付状態を示す部分省略縦断面図である。
【符号の説明】
【００３２】
２  筐体
１０  １２  側壁パネル（第１及び第２の金属パネル）
２８  背面パネル（蓋パネル）
３８  開口
４０  軸部
【図１】
0004916481.tif 000002
【図２】
0004916481.tif 000003
【図３】
0004916481.tif 000004
【図４】
0004916481.tif 000005
【図５】
0004916481.tif 000006
【図６】
0004916481.tif 000007
【図７】
0004916481.tif 000008